【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
容器本体と、当該容器本体の開口部を覆うように載置する中皿と、当該中皿及び前記容器本体を覆うように被せる蓋体とを備えたシート成形容器であって、
前記容器本体の開口部の外側には下方に向かって延びる本体縦壁部を備え、当該本体縦壁部の下端から、外方へ延出する本体横壁部を備え、
前記中皿は外端に、下方へ垂れ下がる中皿垂下部を備え、          
前記蓋体は、蓋体天面の外周から下方へ延出する蓋体垂下部を備え、
前記中皿を前記容器本体に載置した際に、前記中皿垂下部が前記本体縦壁部に沿いながら、前記本体縦壁部を覆うことを特徴とする容器。
【請求項２】
前記中皿垂下部は、前記本体縦壁部の下端まで覆うように被さることを特徴とする請求項１に記載の容器。
【請求項３】
前記蓋体は、前記蓋体垂下部の少なくとも一部に内側へ突出する係合部を設け、容器本体と外嵌合可能としたことを特徴とする請求項１又は２に記載の容器。
【請求項４】
前記中皿は、当該中皿の中皿垂下部から上方に立ち上がる中皿壁側面部を備えることを特徴とする請求項１から３のいずれかに記載の容器。
【請求項５】
前記蓋体を被せた際に、前記中皿の中皿壁側面部の上端が、前記蓋体天面の裏面に当接することを特徴とする請求項１から４のいずれかに記載の容器。
【請求項６】
前記蓋体の蓋体垂下部の下端から、外方へ突出する摘まみ部を備えることを特徴とする請求項１から５のいずれかに記載の容器。
【請求項７】
開口部と、当該開口部の外側に下方に向かって延びる本体縦壁部と、当該本体縦壁部の下端から、外方へ延出する本体横壁部とを備えた容器本体に、載置する中皿であって、
前記中皿は、前記容器本体の開口部を覆うように載置する共に、
当該中皿及び前記容器本体には、蓋体が覆うように被さり、
さらに、前記中皿の外端に、下方へ垂れ下がる中皿垂下部を備え、
前記中皿は、前記容器本体に載置した際に、前記中皿垂下部が前記本体縦壁部に沿いながら、前記本体縦壁部を覆うことを特徴とする中皿。
【手続補正２】
【補正対象書類名】明細書
【補正対象項目名】全文
【補正方法】変更
【補正の内容】
【発明の詳細な説明】
【発明の名称】容器
【技術分野】
【０００１】
本願発明は、麺類等の食材を収容する容器本体と、具材等を収容する中皿と、中皿を覆うように取り付けられる蓋体とからなる容器に関する。
【背景技術】
【０００２】
近年、コンビニエンスストアやスーパーなどの店頭で購入後、調理不要でそのまま食べられる冷し中華、そば等の冷し麺や、天丼やカツ丼等の丼、うどんやラーメン等の温麺等の調理品が販売されている。これらの調理品は、剛性のプラスチック製包装用容器に収容され、別の容器に盛りつける事無く、この包装用容器を食器として使用することができる。
【０００３】
例えば、特許文献１の容器は、容器本体１０（引用文献１で使用されている符号を付している。以下、同じ。）と、当該容器本体１０上に配置する中皿１と、容器本体１０と中皿１とを覆うように被せる蓋体４０とからなるもので、容器本体１０に生麺等を収容し、中皿１に具材等を収容して、蓋体４０を被せて店頭販売している。
【０００４】
そして、これらの容器は、蓋体が容易に開封してしまわないように、一般的にラップ包装やシュリンク包装をしている。ただ、これらラップ包装やシュリンク包装は、包装材料のコストが嵩むので、出来るだけ費用を抑えるために、包装箇所を少なくするか、包装しない場合もある。
【０００５】
また、これらの包装用容器の中でも、特に、冷やし麺等の場合は、容器に収容された生麺上に、メンマ等の具材を直接盛りつけて店頭販売する場合が多く、輸送時に具材が乱れてしまい、見栄えが悪くなる問題があった。従って、冷やし麺等の具材が崩れないことも考慮する必要があり、例えば、特許文献２の蓋体５（引用文献２で使用されている符号を付している。以下、同じ。）においては、外蓋４の２ヶ所の凸部４７が、蓋本体部３の凸部３８に外嵌状態で係合しているので、外蓋４の一対の扉部４０は、扉部４０が開く方向に摘部４６を引き上げない限り、振動やはずみで開くことがない。そのため、具材が乱れて崩れることを防止できる。
【０００６】
ただ、この特許文献２については、シュリンクフィルム等で食材用容器１の全体を包装したり、粘着テープ等を貼着したりすることは必ずしも必要ではない点が記載されているものの、扉部４０が容易に開閉してしまい、蓋本体部３の区画部３０や、容器本体２内への指やゴミ等の侵入を防止するものではない。
【先行技術文献】
【特許文献】
【０００７】
【特許文献１】特開２００８−２７１８９１
【特許文献２】特開２０１２−２０７８１
【発明の概要】
【発明が解決しようとする課題】
【０００８】
そこで、本願発明は、上記問題に鑑み、中皿及び容器本体への指やゴミ等の侵入を効果的に防ぐことのできる容器を提供する。
【課題を解決するための手段】
【０００９】
上記課題を解決するために、本願発明の請求項１に係る容器は、容器本体と、当該容器本体の開口部を覆うように載置する中皿と、当該中皿及び前記容器本体を覆うように被せる蓋体とを備えたシート成形容器であって、前記容器本体の開口部の外側には下方に向かって延びる本体縦壁部を備え、当該本体縦壁部の下端から、外方へ延出する本体横壁部を備え、前記中皿は外端に、下方へ垂れ下がる中皿垂下部を備え、前記蓋体は、蓋体天面の外周から下方へ延出する蓋体垂下部を備え、前記中皿を前記容器本体に載置した際に、前記中皿垂下部が前記本体縦壁部に沿いながら、前記本体縦壁部を覆うことを特徴とする。
【００１０】
上記特徴によれば、蓋がこじ開けられて、容器内部に指等が侵入してきても、指は中皿垂下部に接触して、それ以上侵入することができない。そのため、指が中皿内部に侵入しにくく、ゴミ等の異物の混入も防止できる。
【００１１】
さらに、中皿垂下部は、本体縦壁部に沿いながら、当該本体縦壁部を覆っているので、中皿垂下部と本体縦壁部の間に、指やゴミ等が侵入する隙間ができない。さらに、中皿垂下部は、下方へ垂れ下がるように形成されているので、指が中皿垂下部に引っ掛かりにくく、中皿がこじ開けられることを防止できる。従って、指が容器本体の開口部から内部に侵入することや、異物の混入を効果的に防止できる。
【００１２】
さらに、本体横壁部が本体縦壁部の下端から外方へ延出しているので、指は本体横壁部の表面に沿って横方向からしか侵入できず、中皿垂下部の下方向から侵入することは出来ない。そのため、指が中皿垂下部に引っ掛かりにくく、中皿がこじ開けられることを、より効果的に防止できる。
【００１３】
さらに、本願発明の請求項２に係る容器は、前記中皿垂下部は、前記本体縦壁部の下端まで覆うように被さることを特徴とする。
【００１４】
上記特徴によれば、中皿垂下部は本体縦壁部の下端まで覆うように被さるので、中皿垂下部の下端は、本体横壁部に当接する。そのため、中皿垂下部の先端には、指等が引っ掛かる隙間ができないので、指が中皿垂下部の下端に引っ掛かり、中皿がこじ開けられることをより効果的に防ぐことができる。
【００１５】
さらに、本願発明の請求項３に係る容器は、前記蓋体は、前記蓋体垂下部の少なくとも一部に内側へ突出する係合部を設け、容器本体と外嵌合可能としたことを特徴とする。
【００１６】
上記特徴によれば、蓋体の係合部は、後述する容器本体の被係合部と係合して外嵌合できるので、蓋体が容易に外れないようにできる。そのため、意図しない外力が加えられても、蓋体は外れにくいので、容器内に指や異物が侵入するのを未然に防止することができる。
【００１７】
さらに、本願発明の請求項４に係る容器は、前記中皿は、当該中皿の中皿垂下部から上方に立ち上がる中皿壁側面部を備えることを特徴とする。
【００１８】
上記特徴によれば、仮に、指等が中皿垂下部を乗り越えて内部へ侵入しようとしても、上方に立ち上がる中皿壁側面部によって侵入を阻まれ、中皿内部に指やゴミ等の異物が侵入することを防止できる。
【００１９】
さらに、本願発明の請求項５に係る容器は、前記蓋体を被せた際に、前記中皿の中皿壁側面部の上端が、前記蓋体天面の裏面に当接することを特徴とする。
【００２０】
上記特徴によれば、蓋体を被せた状態では、中皿壁側面部の上端は、蓋体の蓋体天面の裏面に当接しているので、蓋体天面と中皿壁側面部の上端の間には指や異物が侵入できる隙間ができず、中皿の内部への指や異物の侵入を防止できる。
【００２１】
さらに、本願発明の請求項６に係る容器は、前記蓋体の蓋体垂下部の下端から、外方へ突出する摘まみ部を備えることを特徴とする。
【００２２】
上記特徴によれば、購買者が容器内の食品を食する際は、容器の包装等を剥がした後に、摘まみ部を持って上方へ引っ張ることで、係合部と被係合部との嵌合を解除し、蓋体を容易に取り外すことができる。
【００２３】
さらに、本願発明の請求項７に係る中皿は、開口部と、当該開口部の外側に下方に向かって延びる本体縦壁部と、当該本体縦壁部の下端から、外方へ延出する本体横壁部とを備えた容器本体に、載置する中皿であって、前記中皿は、前記容器本体の開口部を覆うように載置する共に、当該中皿及び前記容器本体には、蓋体が覆うように被さり、さらに、前記中皿の外端に、下方へ垂れ下がる中皿垂下部を備え、前記中皿は、前記容器本体に載置した際に、前記中皿垂下部が前記本体縦壁部に沿いながら、前記本体縦壁部を覆うことを特徴とする。
【００２４】
上記特徴によれば、中皿及び容器本体に蓋体が被せられた状態で、中皿及び容器本体への指やゴミ等の侵入を効果的に防ぐことができる。
【発明の効果】
【００２５】
上述したように、本願発明の容器は、中皿及び容器本体への指やゴミ等の侵入を効果的に防ぐことができる。
【図面の簡単な説明】
【００２６】
【図１】（ａ）は本願発明の容器の蓋体の平面図、（ｂ）はＡ−Ａ端面図である。
【図２】（ａ）は本願発明の容器の中皿の平面図、（ｂ）はＢ−Ｂ端面図である。
【図３】（ａ）は本願発明の容器の容器本体の平面図、（ｂ）はＣ−Ｃ端面図である。
【図４】本願発明の容器の全体を示す斜視図である。
【図５】図４に示すＤ−Ｄ端面図であって、容器本体の上に中皿を載置して、その上から蓋体を被せた状態である。
【図６】（ａ）及び（ｂ）は図５に示す状態から、指等が容器内部に侵入しようとしている様子を示す端面図、（ｃ）は蓋体垂下部周辺を拡大して示した端面図である。
【符号の説明】
【００２７】
１００        蓋体
１１０        蓋体天面
１２０        蓋体垂下部
２００          中皿
２６０        中皿垂下部
３００        容器本体
３３０        開口部
３５０        本体縦壁部
３６０        本体横壁部
４００        容器
【発明を実施するための形態】
【００２８】
以下に、本願発明の実施の形態について、図面を用いて説明する。なお、本明細書において、「上方」とは、容器本体の開口部を上にして水平面上に載置した際に、鉛直方向における上方に向かう方向のことであり、「下方」とは鉛直方向における下方に向かう方向のことである。
【００２９】
まず、図１には、本願発明の容器４００の蓋体１００を示す。図に示すように、蓋体１００は下方に開口した浅皿型形状であり、平面視略円形の蓋体天面１１０と、当該蓋体天面１１０の外周から下方へ延出する蓋体垂下部１２０とを有している。この蓋体垂下部１２０の下端部には、内側へ突出する係合部１３０、及び外側へ突出する摘まみ部１４０が設けられている。また、蓋体垂下部１２０は、蓋体１００の周方向へ全周にわたり連続して設けられ、係合部１３０は、摘まみ部１４０が形成された箇所を除き、蓋体１００の周方向へ全周にわたり連続して設けられている。
【００３０】
そして、蓋体１００の係合部１３０は、後述する容器本体３００の被係合部３７０と係合して外嵌合できるので、蓋体１００が容易に外れないようにできる。そのため、意図しない外力が加えられても、蓋体１００は外れにくいので、容器内に指や異物が侵入するのを未然に防止することができる。なお、購買者が、容器内の食品を食する際は、容器の包装等（例えば、後述するシュリンク包装）を剥がした後に、片方の手で本体３００を持ち、もう片方の手で摘まみ部１４０を摘んで上方へ引っ張ることで、係合部１３０と被係合部３７０との嵌合を解除して、蓋体１００を容易に取り外すことができる。
【００３１】
また、蓋体天面１１０の表面は、平坦面１１２となっており、この平坦面１１２は、他の容器４００の底壁３１０を載置して段積み可能になっている。さらに、この平坦面１１２は、後述する帯状フィルムＴを宛がう箇所でもあり、この平坦面１１２の端部には凸部１１１が設けられているので、平坦面１１２に宛がわれた帯状フィルムＴがズレて、外れてしまうことを防止できる。また、この凸部１１１は、段積みされた他の容器４００の底壁３１０が、平坦面１１２からズレて落下するのを防止できる。
【００３２】
次に、図２には、本願発明の容器４００の中皿２００を示す。図に示すように、中皿２００は、上方に開口した浅皿型形状であり、平面視略円形の底壁２１０と、当該底壁２１０の端部から立ち上がるように形成された側壁２２０とを有している。そして、底壁２１０の周方向へ全周にわたり連続して形成された側壁２２０によって、上方に開口した開口部２３０、及び当該開口部２３０から内部に具材等を収容可能な中皿収納部２３１が形成されている。また、底壁２１０には、具材等を個別に収容するための仕切り２１１が設けられている。
【００３３】
さらに、側壁２２０の上端、つまり開口部２３０の縁部から、中皿壁側面部２４０が下方へ傾斜するように形成されている。また、この中皿壁側面部２４０の上端２４１は、側壁２２０の上端と連続した平坦面となっており、さらに、この中皿壁側面部２４０の下端は、平坦な平段部２５０と連続している。そして、中皿２００の外端には、下方へ垂れ下がる中皿垂下部２６０が形成されている。これら中皿壁側面部２４０、平段部２５０、及び中皿垂下部２６０は、中皿２００の周方向へ全周にわたり連続して設けられている。
【００３４】
次に、図３には、本願発明の容器４００の容器本体３００を示す。図に示すように、容器本体３００は、上方に開口した深皿型形状であり、平面視略円形の底壁３１０と、当該底壁３１０の端部から立ち上がるように形成された側壁３２０とを有している。そして、底壁３１０の周方向へ全周にわたり連続して形成された側壁３２０によって、上方に開口した開口部３３０、及び当該開口部３３０から内部に麺類等を収容可能な本体収納部３３１が形成されている。
【００３５】
さらに、側壁３２０の上端には、中皿２００の平段部２５０を載せる平坦な載置面３４０が設けられている。また、開口部３３０の外側には、載置面３４０の端部から下方へ向かって延びる本体縦壁部３５０が形成され、さらに、この本体縦壁部３５０の下端から、外方へ延出する平坦な本体横壁部３６０が形成されている。また、本体横壁部３６０の端部には、蓋体１００の係合部１３０が係合するための、被係合部３７０が設けられている。これら載置面３４０、本体縦壁部３５０、本体横壁部３６０、及び被係合部３７０は、容器本体３００の周方向へ全周にわたり連続して設けられている。
【００３６】
なお、本実施形態に係る蓋体１００、中皿２００、及び容器本体３００は、厚さが約０．２２ｍｍから２．００ｍｍ程度のシート状の素材を用いて、シート成形（例えば、真空成形、圧空成形、熱盤成形）されたものであり、例えば、蓋体１００や中皿２００の素材としては、ポリスチレン、ポリプロピレン、ポリスチレン、Ａ−ＰＥＴ、ポリ乳酸や、これらを二軸延伸させたものを、容器本体３００の素材としては、ポリスチレン、ポリプロピレン、ポリスチレン、Ａ−ＰＥＴ、ポリ乳酸や、これらを発泡させたものや、タルクを混ぜたものを用いることができる。また、蓋体１００、中皿２００、及び容器本体３００は、平面視略円形であるが、この他にも、平面視略長方形、平面視多角形など、適宜形状を変更することできる。
【００３７】
では次に、図４を参照して、本願発明の容器４００の使用態様について説明する。まず、容器本体３００に、冷し麺等（不図示である）を収容し、容器本体３００の開口部３３０を覆うように、中皿２００を載置する。そして、この中皿２００に具材等（不図示である）を収容した後、さらに、中皿２００及び容器本体３００を覆うように、蓋体１００を被せる。この状態で、蓋体天面１１０の平坦面１１２に、帯状フィルムＴ等を宛がい、容器４００の縦方向に巻き付けることで、容器４００はシュリンク包装等される。そして、シュリンク包装等された容器４００を、店頭等にて販売する。なお、容器４００全体をシュリンク包装等することも可能だが、無駄な地球資源を使わず、包装材料のコストを削減するという近年のニューズに応えて、帯状フィルムＴ等により、容器４００の一部を包装している。
【００３８】
次に、このシュリンク包装等された容器４００の凸部１１１周辺における、D―D端面図を図５に示す。図に示すように、中皿２００の平段部２５０が、容器本体３００の載置面３４０上に載置されている。そして、平段部２５０が載置面３４０に載置された状態は、中皿２００及び容器本体３００の周方向へ全周にわたり連続しているので、開口部３３０の全面が中皿２００によって確実に覆われている。また、中皿２００の中皿垂下部２６０が、容器本体３００の本体縦壁部３５０を覆っているので、中皿２００は、容器本体３００上に載置された状態から横方向へズレて本体３００から外れるのを防ぐ。
【００３９】
また、蓋体１００は、中皿２００と容器本体３００を覆い、係合部１３０が容器本体３００の被係合部３７０と係合して外嵌合している。そして、この外嵌合した状態が、摘まみ部１４０が形成された部分を除き、容器４００の周方向へ全周にわたり連続している。
【００４０】
また、中皿２００の上端２４１は、蓋体１００の平坦面１１２の裏面に当接しているので、平坦面１１２と上端２４１の間には指や異物が侵入できる隙間ができず、中皿収納部２３１に指やゴミ等の異物が侵入することを防止できる。さらに、平坦面１１２上に他の容器４００を段積みした際に、上端２４１が、他の容器４００を下から支えることができる。なお、完全に隙間が無い状態であると、成型時に寸法誤差によっては、中皿２００の上端２４１の高さが蓋体１００の平坦面１１２高さを超え、外嵌合ができなくなる場合もあるので、上端２４１と平坦面１１２の間に、指や異物が侵入することが困難な範囲で、僅かな隙間（１.3mｍ程度）を設けてもよい。
【００４１】
また、蓋体１００の蓋体垂下部１２０と、中皿２００の中皿壁側面部２４０から中皿垂下部２６０との間には、隙間が形成されている。そのため、購買者が容器４００から蓋体１００を外す際に、蓋体１００と一緒に中皿２００は持ち上げられないので、中皿２００に収容された具材等が乱れることはない。また、中皿２００を取り外す際は、中皿壁側面部２４０を指で摘まんで持ち上げることができるため、別途、中皿２００に摘まみ部を形成する必要がない。
【００４２】
ここで、図５に示す、蓋体１００の凸部１１１周辺は、帯状フィルムＴ等が巻き付けられていない部分であるから、外部から無理に力を加えれば、蓋体１００がこじ開けられる可能性があり、その開けられた隙間から、指やゴミ等が入ってしまう虞がある。そこで、本願発明では、これを効果的に防止できることを、以下で説明する。
【００４３】
まず、図６（ａ）では、蓋体１００の係合部１３０が容器本体３００の被係合部３７０から外され、指が容器４００内部に侵入しようとしている。なお、係合部１３０や被係合部３７０は下方へ延出しているので、指Ｆは斜め上方に向けて侵入する傾向がある。
【００４４】
しかしながら、図６（ａ）に示すように、斜め上方に侵入してきた指Ｆは、中皿垂下部２６０の上端部付近に接触して、これ以上侵入するのが難しく、この中皿垂下部２６０が指の侵入を防ぐ防波堤の役割を果たす。そのため、中皿２００の開口部２３０から、指Fや異物等が、中皿収納部２３１へ侵入することを防止できる。
【００４５】
次に、指Ｆが、中皿垂下部２６０を乗り越えて内部へ侵入しようとしたとする。しかし、上方に立ち上がる中皿壁側面部２４０によって侵入を阻まれ、中皿収納部２３１に指やゴミ等の異物が侵入することを防止できる。
【００４６】
更に指Ｆが、中皿壁側面部２４０を乗り越えて内部へ侵入しようとしたとする。しかし、図５に示すように、蓋体１００を被せた状態では、中皿壁側面部２４０の上端２４１は、蓋体１００の平坦面１１２の裏面に当接しているので、例え、図６（ａ）に示すように、蓋体１００がこじ開けられようとしても、平坦面１１２と上端２４１の間には僅かな隙間しか出来ず、指Ｆは、その僅かな隙間からでは侵入することができない。そのため、中皿収納部２３１に指や異物が侵入することを防止できる。
【００４７】
なお、蓋体１００の凸部１１１以外の箇所、つまり平坦面１１２は、シュリンク包装等によって容器本体３００に固定されているので、図６（ａ）の状態から、さらに蓋体１００がこじ開けられることはない。そのため、平坦面１１２と上端２４１の間の隙間は、指F等が侵入できない程度に維持され、これ以上広がることがなく、指Ｆや異物の侵入を防ぐことができる。
【００４８】
では次に、図６（ｂ）に示すように、指Ｆが横方向から侵入しようとしたとする。しかし、中皿垂下部２６０は、本体縦壁部３５０の表面に沿いながら、本体縦壁部３５０を覆っているので、中皿垂下部２６０と本体縦壁部３５０の間に、指やゴミ等が侵入する隙間ができない。さらに、中皿垂下部２６０は、下方へ垂れ下がるように形成されているので、指Ｆが中皿垂下部２６０に引っ掛かりにくく、中皿２００がこじ開けられることを防止できる。従って、指Ｆや異物が、容器本体３００の開口部３３０から本体収納部３３１に侵入することを、効果的に防止できる。
【００４９】
ここで、中皿垂下部２６０は下方へ垂れ下がるように形成されているので、もし仮に、下方向から指Ｆが侵入してくると、指Ｆが中皿垂下部２６０に引っ掛かる虞がある。しかし、図６（ｃ）に示すように、本体横壁部３６０が本体縦壁部３５０の下端から外方へ延出しているので、指Ｆは本体横壁部３６０の表面に沿って横方向からしか侵入できない。その結果、指Fは、中皿垂下部２６０の下方向から侵入出来ないので、中皿垂下部２６０に引っ掛かる虞がないのである。
【００５０】
さらに、中皿垂下部２６０は本体縦壁部３５０の下端まで覆うように延出しているので、中皿垂下部２６０の下端は、本体横壁部３６０の表面に当接している。そのため、中皿垂下部２６０の先端には、指Ｆ等が引っ掛かる隙間ができないので、指Ｆが中皿垂下部２６０の下端に引っ掛かり、中皿２００がこじ開けられることをより確実に防ぐことができる。
【００５１】
ここで、本願発明の各要素の一例について、具体的な数値を挙げて説明する。まず、中皿壁側面部２４０の高さＨ１を、３ｍｍから２０ｍｍ、特に４ｍｍから１５ｍｍにするのが好ましい。上記高さの範囲であると、蓋が閉じた状態で、指Ｆを中皿２００の開口部２３０から侵入させるのが困難となるためである。また、中皿垂下部２６０の傾斜角度は、容器垂直線Ｌを０度として基準とした場合、５°〜４５°とするのが好ましい。中皿垂下部２６０の傾斜角度が、４５°以上の場合は、容器本体３００に載置した中皿２００が横方向へズレやすくなり、５°以下の場合、成型金型からの抜き勾配を確保できなくなるからである。
【００５２】
なお、本実施例では、図１に示すように蓋体１００の摘まみ部１４０の形状は、平面視略三角形、平面視略四角形等、指でつまめる程度の形状と大きさであれば、任意に決定することができる。さらに、摘まみ部１４０に加わった力を蓋体１００と容器本体３００の嵌合部分に伝えやすいように、摘まみ部１４０と蓋体１００の結合部分には、リブや凹凸部を形成してもよい。また、図２に示すように仕切り２１１を設けているが、これに限定されることはない。ただ、冷し麺用の容器として利用する場合は、仕切り２１１を設けた方が、具材の乱れがなく、見た目が色鮮やかで色彩豊かに見え、店頭における購買者の購買意欲がかき立てられる。さらに、本願発明は、冷し麺用の容器に限らず、その他の用途、例えば容器本体３００に米飯を収容し、中皿にトンカツ等の具材を収容するような、レンジ対応の丼物の外嵌合容器の場合にも利用可能である。
【００５３】
なお、本願発明の容器は、上記の実施例に限定されず、特許請求の範囲に記載された範囲、実施形態の範囲で、種々の変形例、組み合わせが可能であり、これらの変形例、組み合わせもその権利範囲に含むものである。